(57)【要約】【課題】フックの左右切替えを手軽に行うことのできるフック付き可搬式電動工具を安価で提供する。【解決手段】フック２０を、フック本体２１と、フック本体２１から延設されるフック軸部２２と、フック軸部２２から延設される球状抜け止め部２３とを備えるものとし、可搬式電動工具本体１に形成されるフック保持部９を、フック軸部２２が嵌合する貫通孔１０と、該貫通孔１０の中央部を球状抜け止め部２３が嵌合するように凹設した球状凹部１２と、貫通孔１０を径方向に開口させる溝部１１とを備えるものとし、溝部１１の開口幅Ｗ１をフック軸部２２の幅Ｗ２よりも狭く形成し、所定負荷を超える負荷がかかれば弾性変形により開口幅Ｗ１がフック軸部の幅Ｗ２以上に広がるようにする。【選択図】        図１
2004351538.tif 000002
【特許請求の範囲】
【請求項１】
可搬式電動工具本体と、可搬式電動工具本体のハウジングに形成されるフック保持部と、フック保持部に装着されるフックとを具備して成るフック付き可搬式電動工具において、前記フックが、固定対象物に引掛ける為のフック本体と、フック本体の基端部から延設されるフック軸部と、フック軸部の先端部から該フック軸部よりも大径となるように延設される球状抜け止め部とを備えるものであり、前記フック保持部が、フック軸部が嵌合する貫通孔と、該貫通孔の内壁の軸方向中央部をフックの球状抜け止め部が転動自在に嵌合するように凹設して成る球状凹部と、貫通孔の一端から他端に至るまでを径方向に開口させる溝部とを備えるものであり、且つ、溝部の開口幅をフック軸部の幅よりも狭く形成した前記フック保持部が、所定負荷を超える負荷がかかることで溝部の開口幅がフック軸部の幅以上に広がるように弾性変形されるものであることを特徴とするフック付き可搬式電動工具。
【請求項２】
フック軸部と、フック保持部の貫通孔とに、両者の係合によりフックを所定角度に保持する係合部を形成したことを特徴とする請求項１記載のフック付き可搬式電動工具。
【請求項３】
フック保持部の貫通孔に形成した係合部は、該係合部と可搬式電動工具本体の重心とを結ぶ線分が貫通孔の中心軸と交差する位置にあることを特徴とする請求項２記載のフック付き可搬式電動工具。
【請求項４】
フック軸部に、フック保持部の溝部内に位置するように回転規制用凸部を突設したことを特徴とする請求項１〜３のいずれか記載のフック付き可搬式電動工具。
【請求項５】
フック保持部の溝部と面する端縁部を、別体の弾性体により構成したことを特徴とする請求項１〜４のいずれか記載のフック付き可搬式電動工具。
【請求項６】
フック本体とフック保持部との間に介在するようにフック軸部に着脱自在に装着される付属部材を備えたことを特徴とする請求項１〜５のいずれか記載のフック付き可搬式電動工具。
【請求項７】
フック保持部に、フック軸部の通過し得る第二溝部を溝部と交差させて形成し、フック本体の先端部に、固定対象物に引掛ける為の第二フックを延設したことを特徴とする請求項１〜６のいずれか記載のフック付き可搬式電動工具。
【請求項８】
フック軸部の先端部と、球状抜け止め部とに、両者の螺合によりフック軸部と球状抜け止め部とを固定するねじ部を形成したことを特徴とする請求項１〜７のいずれか記載のフック付き可搬式電動工具。
【発明の詳細な説明】
【０００１】
【発明の属する技術分野】
本発明は、ベルト等に引掛けておくことのできるフック付き可搬式電動工具に関する。
【０００２】
【従来の技術】
従来から、充電式ドリルドライバ等の可搬式電動工具には、フックを有し、当該フックをベルト等に引掛けることで使用者の身体に吊り下げておくことができるものがある。しかしながら、このようなフック付き可搬式電動工具においては、使用中に周囲の部材にフックが引っ掛かり作業の邪魔になるという問題があった。そこで、上記問題を解決し、且つ、吊り下げ姿勢を多様に選択可能として使用者の使い勝手を向上させる為に、状況に応じてフックを左右に切替えることのできるフック付き可搬式電動工具が提案されている（特許文献１参照）。
【０００３】
ところが、この左右切替え可能なフック付き可搬式電動工具は、可搬式電動工具本体のハウジングに形成したフック保持部の左右いずれか一方に、ボルトやナットを用いてフックを装着させる構造であるから、フックを切替えるに当ってはボルトを緩める為に手回し工具等が必要であり、左右の切替えを容易に行うことができるものではなかった。また、上記のようにボルトやナットを用いた構造であることから部品点数が多く、安価で提供することができないものであった。
【０００４】
【特許文献１】
特開２００２−２５４３５８号公報
【０００５】
【発明が解決しようとする課題】
本発明は上記の点に鑑みてなされたものであり、フックの左右切替えを手軽に行うことのできるフック付き可搬式電動工具を、部品点数の少ない簡単な構造により安価で提供することを課題とするものである。
【０００６】
【課題を解決するための手段】
上記課題を解決するために本発明を、可搬式電動工具本体１と、可搬式電動工具本体１のハウジング８に形成されるフック保持部９と、フック保持部９に装着されるフック２０とを具備して成るフック付き可搬式電動工具において、前記フック２０が、固定対象物１９に引掛ける為のフック本体２１と、フック本体２１の基端部２１ａから延設されるフック軸部２２と、フック軸部２２の先端部２２ａから該フック軸部２２よりも大径となるように延設される球状抜け止め部２３とを備えるものであり、前記フック保持部９が、フック軸部２２が嵌合する貫通孔１０と、該貫通孔１０の内壁の軸方向中央部をフック２０の球状抜け止め部２３が転動自在に嵌合するように凹設して成る球状凹部１２と、貫通孔１０の一端から他端に至るまでを径方向に開口させる溝部１１とを備えるものであり、且つ、溝部１１の開口幅Ｗ１をフック軸部２２の幅Ｗ２よりも狭く形成した前記フック保持部９が、所定負荷を超える負荷がかかることで溝部１１の開口幅Ｗ１がフック軸部２２の幅Ｗ２以上に広がるように弾性変形されるものであることを特徴としたものとする。
【０００７】
このようにすることで、球状抜け止め部２３を球状凹部１２に嵌合させ、フック軸部２２を貫通孔１０に嵌合させ、該貫通孔１０の両端部のいずれか一方からフック本体２１を突出させた状態で、フック保持部９にフック２０を装着することができ、この装着状態で、使用者がフック２０に対して、球状抜け止め部２３を支点としてフック軸部２２が溝部１１内を一端側から他端側にまで移動しながら回転する方向Ｐに或る程度以上の力を加えれば、フック保持部９には所定負荷を超える負荷がかかり溝部１１の開口幅Ｗ１がフック軸部２２の幅Ｗ２以上に広がるように弾性変形される。即ち、上記方向Ｐに或る程度以上の力を加えることで、フック軸部２２は球状抜け止め部２３を支点に回転しながら溝部１１の開口幅Ｗ１を押し広げて該溝部１１内を通過し、１８０度回転した時点で貫通孔１０の逆側の端部からフック本体２１を突出させた状態となり、フック２０を左右逆側に切替えられるものである。そして、上記構成のフック付き可搬式電動工具によれば、簡単な構造によりフック２０の左右切替えが可能であり、安価での提供が可能となる。また、切替え作業もフック２０に対して所定方向Ｐに力を加えるだけの簡単な作業でよく、余分な工具を使用する必要もないものである。
【０００８】
また、フック軸部２２と、フック保持部９の貫通孔１０とに、両者の係合によりフック２０を所定角度に保持する係合部３１，３２を形成することも好ましい。このようにすることで、腰ベルト等の固定対象物１９にフック２０を挿入する際の挿入感や、固定対象物１９に吊り下げて歩行する際の安定感が向上するものである。
【０００９】
また、フック保持部９の貫通孔１０に形成した係合部３２は、該係合部３２と可搬式電動工具本体１の重心Ｇとを結ぶ線分Ｓが貫通孔１０の中心軸Ｃと交差する位置にあることも好ましい。このようにすることで、固定対象物１９にフック２０を引掛けて吊り下げられた状態の可搬式電動工具本体１の自重は、フック軸部２２と貫通孔１０とに設けた両係合部３１，３２を押付ける力として作用するので、吊り下げ時の安定性が向上するものである。
【００１０】
また、フック軸部２２に、フック保持部９の溝部１０内に位置するように回転規制用凸部３３を突設することも好ましい。このようにすることで、回転規制用凸部３３が溝部１１の両側の内側面１１ａに当る範囲でフック２０の回転は規制されるので、フック２０が不必要な位置にまで回転することが防止されるものである。
【００１１】
また、フック保持部９の溝部１１と面する端縁部を、別体の弾性体１５により構成することも好ましい。このようにすることで、フック保持部９におけるフック２０の弾性的な保持力を向上させることができる。
【００１２】
また、フック本体２１とフック保持部９との間に介在するようにフック軸部２２に着脱自在に装着される付属部材１６を備えることも好ましい。このようにすることで、球状抜け止め部２３を支点としてフック２０を回転させる力が働いた場合であっても、フック本体２１とフック保持部９との間に挟まれる付属部材１６によって該フック２０の回転が阻止されるので、フック２０の浮き上がりが確実に防止されるものである。
【００１３】
また、フック保持部９に、フック軸部２２の通過し得る第二溝部４１を溝部１１と交差させて形成し、フック本体２１の先端部に、固定対象物１９に引掛ける為の第二フック４２を延設することも好ましい。このようにすることで、球状抜け止め部２３を支点としてフック２０を回転させながら溝部１１の開口幅Ｗ１を押し広げて該溝部１１内にフック溝部２２を通し、溝部１１の通過途中で今度は該溝部１１と交差する第二溝部４１内にフック軸部２２を通し、この第二溝部４２の端までフック軸部２２を通した状態で第二フック４２を固定対象物１９に引掛けることで、左右にフック２０を装着した場合の姿勢とはまた異なる姿勢で可搬式電動工具本体１を吊り下げることができるものである。
【００１４】
また、フック軸部２２の先端部２２ａと、球状抜け止め部２３とに、両者の螺合によりフック軸部２２と球状抜け止め部２３とを固定するねじ部２４，２５を形成することも好ましい。このようにすることで、上記螺合を解除すればフック保持部９の球状凹部１２に球状抜け止め部２３を嵌合させた状態のままで貫通孔１０からフック軸部２２を取外すことができるので、ハウジング８を分解せずとも、フック軸部２２や該フック軸部２２に接続されるフック本体２１を交換することができるものである。
【００１５】
【発明の実施の形態】
以下、本発明を添付図面に示す実施の形態に基づいて説明する。図１〜図７には、本発明の実施の形態における一例のフック付き可搬式電動工具を示している。一例においては、電池パック２を備えた充電式ドリルドライバ６を可搬式電動工具本体１とし、該可搬式電動工具本体１のハウジング８に形成したフック保持部９にフック２０を装着したものを、フック付き可搬式電動工具としている。なお、上記ドリルドライバ６は、電池パック２を電源部として、内蔵されたモータ３の回転力を回転伝達機構部４を介してチャック５にまで伝達し、チャック５に装着した先端工具（図示せず）によりねじ締めや穴あけ作業を行うものである。
【００１６】
フック保持部９は、可搬式電動工具本体１のハウジング８のうち、使用時に把持される握り部７の下端部分のハウジング８ａに形成されるものであり、該ハウジング８ａの背面から背方に延設され、フック２０が左右両側方のいずれか一方に装着されるようになっている。なお、本文中においては、可搬式電動工具本体１を用いて作業を行う際に作業箇所に向ける側の面を該可搬式電動工具本体１の正面とし、該可搬式電動工具本体１の背面、左右両側面についてもこれを基準とする。
【００１７】
フック保持部９は、左右両側方に貫設される断面略円形状の貫通孔１０と、貫通孔１０の一端から他端に至るまでを径方向に開口させる溝部１１とを備え、断面略Ｃ字状となるように形成されている。上記貫通孔１０の軸方向中央部には、該貫通孔１０の内周壁を球面状に凹設して成る球状凹部１２を設けている。また、フック２０は、固定対象物１９に引掛ける為に略Ｌ字型に成形されたフック本体２１と、フック本体２１の基端部２１ａから延設された円柱状のフック軸部２２と、フック軸部２２よりも大径の略球体状となるように該フック軸部２２の先端部２２ａから延設された球状抜け止め部２３とを備えたものである。
【００１８】
フック保持部９の球状凹部１２は、フック２０の球状抜け止め部２３が転動自在に嵌合するように形成されており、また、フック保持部９の貫通孔１０は、フック軸部２２が軸中心に回動自在に嵌合するように形成されている。そして、貫通孔１０の両端から球状凹部１２までの長さＬ１は、フック軸部２２の長さＬ２よりも僅かに小さく形成されており、且つ、フック保持部９の溝部１１の開口幅Ｗ１は、フック軸部２２の幅Ｗ２よりも狭くなるように一端側から他端側に至るまで同一幅で形成されているので、球状抜け止め部２３が球状凹部１２に嵌合し、フック軸部２２が貫通孔１０の左右いずれかの半部に嵌合した状態で、フック２０はフック本体２１を可搬式電動工具本体１から突出させた状態でフック保持部９に回動自在に装着されるものである。
【００１９】
フック２０の組付け方法としては、図２に示すように可搬式電動工具本体１のハウジング８が、球状凹部１２を中心にフック保持部９を左右に分割する左右の半割りハウジング１３，１４をねじ５で結合させたものであることを利用する。即ち、分割させてある左右の半割りハウジング１３，１４の一方の側の溝部１１（図示の例では１１ａ）を通して貫通孔１０内にフック軸部２２を挿入するとともに、半分に分割された球状凹部１２（図示の例では１２ａ）に球状抜け止め部２３の基端側半部を嵌合させ、その後、左右の半割りハウジング１３，１４の他方の側の、半分に分割された球状凹部１２（図示の例では１２ｂ）に、球状抜け止め部２３の先端側半部が嵌合するように、左右の半割りハウジング１３，１４をねじ５で結合させれば良い。既述したように、フック保持部９の溝部１０の開口幅Ｗ１は、フック軸部２２の幅Ｗ２よりも狭く形成されているが、フック保持部９は、負荷がかかると撓みを生じて溝部１１の開口幅Ｗ１がフック軸部２２の幅Ｗ２以上に広がるように、弾性材料により形成されているので、フック２０の貫通孔１０内への挿入は溝部１１ａへの押し込みにより問題無く行われる。
【００２０】
そして、上記のようにして可搬式電動工具本体１に装着されたフック２０のフック本体２１を固定対象物１９に引掛けることで、図１（ａ）に示すように可搬式電動工具本体１が下向きに吊り下げられるようになっている。なお、フック保持部９の溝部１１は、可搬式電動工具本体１の重心Ｇ側に向けて開口するように形成しているので（図３参照）、可搬式電動工具本体１の自重によってフック本体２１が溝部１１から外れてしまうことは防止されている。
【００２１】
フック２０の特に外部に突出するフック本体２１は破損等を生じる危険性が比較的高いものであるが、一例においては図７に示すように、フック本体２１とフック軸部２２とを一体成形するとともに、これらと球状抜け止め部２３とは別体に成形し、フック軸部２２の先端部２２ａには雄ねじ型のねじ部２４を突設し、球状抜け止め部２３には該ねじ部２４と螺合する雌ねじ型のねじ部２５を凹設しているので、ハウジング８を分解せずとも、フック軸部２２と球状抜け止め部２３とを固定する両ねじ部２４，２５の螺合を解除することで部品交換が可能である。なお、球状抜け止め部２３のねじ部２５との反対側部分には六角孔２７を凹設しているので、貫通孔１０内に六角レンチ２６を挿入し、該六角レンチの２６の先端部を六角孔２７に嵌合させた状態で外部側からフック本体２１を回転させることで、両ねじ部２４，２５の螺合は容易に解除されるものである。新たなフック本体１及びフック軸部２２を取付けるには、上記手順と逆の手順を実行すればよい。
【００２２】
次に、一例のフック付き可搬式電動工具においてフック２０の装着位置の左右切替え方法について述べる。図３に示すように、フック保持部９に装着されたフック２０は、貫通孔１０の中心軸Ｃを中心とした図中のＲ方向に回動自在に保持されるものである。フック２０の左右を切替えるには、使用者がフック本体２１を掴む等して、フック２０に対して、球状抜け止め部２３を中心としてフック軸部２２が溝部１１内を一端側から他端側にまで移動しながら回転する方向（図中のＰ方向）に、力を加えれば良い。通常使用時に生じる程度の力ではフック保持部９は殆ど変形しないが、上記のようにＰ方向に大きな力を加えることで、フック保持部９に所定負荷を超える負荷がかかり、該フック保持部９は溝部１１の開口幅Ｗ１がフック軸部２２の幅Ｗ２以上に広がるように弾性変形される。即ち、Ｐ方向に或る程度以上の力を加えることで、フック軸部２２は球状抜け止め部２３を支点に回転しながら溝部１１の開口幅Ｗ１を押し広げて該溝部１１内を通過し、１８０度回転した時点で、図４に点線で示すようにフック２０は左右逆側に切替えられるものである。なお、上記のように左右逆側に切替えられた状態においても同様に、フック２０は貫通孔１０の中心軸Ｃを中心としたＲ方向に回動自在に保持される。
【００２３】
図５には、フック保持部９におけるフック２０の保持力を更に向上させる為に、フック保持部９の溝部１１の内側面１１ａに弾性体１５を固定した場合を示している。この場合、フック保持部９の溝部１１と面する端縁部が別体の弾性体１５により構成されたものとなり、溝部１０の開口幅Ｗ１をフック軸部２２の幅Ｗ２以上に広げるには弾性体１５をも弾性変形させることが要求されるので、フック２０の保持力が向上する。したがって、作業中にフック本体２１が周囲の部材に当る等した場合に球状抜け止め部２３を支点としてフック２０が簡単に浮き上がってしまうことが、防止されるものである。上記弾性体１５を設けることは、フック保持部９が小型であって該フック保持部９だけでは弾性的な保持力を十分に発揮できない場合や、フック保持部９が金属であり弾性変形が殆ど期待できない場合等に有効である。
【００２４】
また、図６に示すような、略Ｃ字状であり弾性変形可能な付属部材１６をフック軸部２２に装着することで、フック２０の浮き上がりを防止することもできる。上記付属部材１６は、フック本体２１とフック保持部９との間に介在して両者２１，９の隙間を略全周に亘って塞ぐように、フック軸部２２に着脱自在に装着されるものであり、フック２０を図中Ｐ方向に回転させる力が働いた場合には該フック２０とフック保持部９との間で付属部材１６が挟まれることで、フック２０の回転は阻止される。付属部材１６には摘み部１７が径方向に突設されており、該摘み部１７を引張れば容易に取り外し可能であるから、フック２０の左右切替えには問題がない。
【００２５】
上述した一例のフック付き可搬式電動工具によれば、ナットやボルトを用いることのない簡単な構造によりフック２０の左右切替えが可能であり、安価での提供が可能となる。また、切替え作業もフック２０に対して所定方向（図中の方向Ｐ）に力を加えるだけの簡単な作業でよく、余分な工具を使用する必要もない。しかも、フック２０が不用意に浮き上がることも防止されており、特に付属部材１６を装着した場合には浮き上がりは確実に防止されるので、フック２０を安定的に使用することができるものである。
【００２６】
次に、本発明の実施の形態における他例のフック付き可搬式電動工具について、図８〜図１１に基づいて説明する。なお、他例の基本的構成は一例と略同様であるから、一例と同一の構成については同一符号を付して説明を省略し、一例とは異なる特徴的な構成についてのみ、異符号を付して以下に述べる。他例のフック２０のフック軸部２２の基端部外周面には、全周に亘って周方向に凹凸を形成して成る係合部３１を設けており（図８参照）、また、フック保持部９の貫通孔１０の両端部内周面にはそれぞれ、周方向に凹凸を形成して成る係合部３２を設けている（図９参照）。そして、装着状態にあるフック２０のフック軸部２２の係合部３１が、貫通孔１０の両端の係合部３２の一方に係合して該係合（即ち両係合部３１，３２の噛合い）によりフック２０が所定角度に保持されるようになっている。断面略Ｃ字状であるフック保持部９は、両係合部３１，３２が噛合い状態にあるフック２０に対してＲ方向に或る程度以上の力を加えた場合には、溝部１１の開口幅Ｗ１を広げるように弾性変形を生じて上記噛合いを解除するようになっているので、使用者はＲ方向の回動によりフック２０を所望の角度に切替えて保持させることが可能なものである。
【００２７】
また、図９に示すように、フック保持部９の貫通孔１０の両端部に形成される係合部３２はそれぞれ、該係合部３２と可搬式電動工具本体１の重心Ｇとを結ぶ線分Ｓが貫通孔１０の中心軸Ｃと交差する位置に形成してある。これにより、固定対象物１９に吊り下げた状態では、可搬式電動工具本体１の自重が、フック保持部９側の係合部３２をフック軸部２２側の係合部３１に押付ける力として作用し、多少の外力が働いてもフック２０がＲ方向に回動しないようになっている。
【００２８】
更に、他例のフック軸部２２の外周面には、上記係合部３１に加えて、略直方体の回転規制用凸部３３を突設している。この回転規制用凸部３３は、係合部３１よりも先端側の部分において、周方向の幅Ｗ３がフック保持部９の溝部１１の開口幅Ｗ１よりも小さくなるように形成されたものである。しかして、回転規制用凸部３３がフック保持部９の溝部１１内に位置するようにフック２０を装着すると、フック２０の回動は、回転規制用凸部３３が溝部１１の両側の内側面１１ａと当る範囲内（図１０、図１１に示す角度αの範囲内）に規制されるものである。
【００２９】
上述した他例のフック付き可搬式電動工具によれば、使用者は状況に応じてフック２０の角度を切替えることができて作業性が向上するとともに、フック２０はその角度で確実に保持されるので、腰ベルト等の固定対象物１９にフック２０を挿入する際の挿入感や、該固定対象物１９に吊り下げて歩行する際の可搬式電動工具本体１の安定感が良好であり、且つ、フック２０の回動範囲は角度αの所定範囲内に規制されていて不必要な位置にまで回動することのないものとなっている。
【００３０】
次に、本発明の実施の形態における別例のフック付き可搬式電動工具について、図１２、図１３に基づいて説明する。なお、別例の基本的構成は他例と略同様であるから、他例と同一の構成については同一符号を付して説明を省略し、他例とは異なる特徴的な構成についてのみ、異符号を付して以下に述べる。別例のフック保持部９には、溝部１１の中央部と略Ｔ字状に交差する第二溝部４１を設けている。この第二溝部４１は、左右両側方に向けて形成される溝部１１の中央部から図１２中の下方に向けて形成されるものであり、フック軸部２２が通過し得るように、該第二溝部４１の幅Ｗ４はフック軸部２２の幅Ｗ２以上に形成している。また、別例のフック本体２１の先端部には、固定対象物１９に引掛ける為の第二フック４２を延設している。上記第二フック４２は、フック本体２１が略Ｌ字型に屈折する平面と略同一平面上にて、その先端４２ａをフック本体２１の基端部２１ａ側に向けるように所謂釣り針型に屈折させて成形したものである。
【００３１】
しかして、別例のフック付き可搬式電動工具においては、図１２に点線で示すように通常は貫通孔１０の両端開口の一方からフック本体２１が突出するようにフック２０を装着しておき、状況に応じて、フック２０の左右切替え時と同様に図中Ｐ方向に或る程度以上の力を加えながら球状抜け止め部２３を支点としてフック２０を溝部１１内で回転させ、９０度回転した時点で、今度はＰ方向と直交する図中Ｐ´方向に、第二溝部４１内を通過するように球状抜け止め部２３を支点としてフック２０を回転させればよい。第二溝部４１内の端にまでフック２０が回転した状態で該フック２０の第二フック４２を固定対象物１９に引掛けると、図１（ａ）に示したような一例や他例の吊り下げ姿勢（即ち別例における通常の吊り下げ姿勢）とは別の吊り下げ姿勢（図１３参照）で、可搬式電動工具本体１を吊り下げることができるものである。
【００３２】
図１（ａ）と図１３との対比から分かるように、別例における通常の吊り下げ姿勢と別の吊り下げ姿勢とでは、固定対象物１９に対する可搬式電動工具本体１の正面方向が９０度若しくは２７０度異なっている。したがって、例えば横棒状の固定対象物１９に対して可搬式電動工具本体１を吊り下げようとした場合、通常の吊り下げ姿勢では固定対象物１９の長さＬが図１中の長さＬ３又はＬ４以上であることが要求されるのに対して、別の吊り下げ姿勢であれば固定対象物１９の長さＬは可搬式電動工具本体１の全幅Ｗ３程度あれば充分である。全幅Ｗ３は長さＬ３やＬ４を超えないことが通常であるから、横棒状の固定対象物１９に対しては別の吊り下げ姿勢を選択した方が、より短い固定対象物１９に対しても吊り下げ可能であることが分かる。また、可搬式電動工具本体１の形状寸法に応じて、通常の吊り下げ姿勢で保管する場合と別の吊り下げ姿勢で保管する場合とを適宜選択すれば、保管場所の空間を効率的に利用することや、可搬式電動工具本体１の種類を見分け易い姿勢で保管しておき視認性を向上させることが、可能となる。また、通常の吊り下げ姿勢では第二フック４２が脱落防止部としても作用し、多少の外力が働いても固定対象物１９からのフック２０の脱落は防止されるものである。
【００３３】
【発明の効果】
上記のように本発明のフック付き可搬式電動工具にあっては、所定方向に或る程度以上の力を加える簡単な操作で、溝部の開口幅を押し広げながら球状抜け止め部を支点としてフックを回転させて左右逆側に切替えることができる。そして、ボルトやナットを用いることのない簡単な構造で済むことから、上記のように左右切替え操作が容易なフック付き可搬式電動工具を、安価で提供することができるものである。
【図面の簡単な説明】
【図１】本発明の実施の形態における一例のフック付き可搬式電動工具を示しており、（ａ）は吊り下げ時の側面図、（ｂ）は（ａ）のＡ−Ａ線断面図である。
【図２】同上のフック付き可搬式電動工具の一部を分解した斜視図である。
【図３】同上のフック付き可搬式電動工具のフックの左右切替えを示す説明図である。
【図４】同上のフック付き可搬式電動工具のフックの左右切替えを示す別の説明図である。
【図５】同上のフック付き可搬式電動工具のフック保持部に弾性体を装着した状態を示す説明図である。
【図６】同上のフック付き可搬式電動工具のフック軸部に付属部材を装着した状態を示す説明図である。
【図７】同上のフック付き可搬式電動工具のフックの分解方法を示す説明図である。
【図８】本発明の実施の形態における他例のフック付き可搬式電動工具のフックを示す斜視図である。
【図９】同上のフック付き可搬式電動工具の吊り下げ時を示す斜視図である。
【図１０】同上のフック付き可搬式電動工具のフックの可動範囲を示す説明図である。
【図１１】同上のフック付き可搬式電動工具のフックの可動範囲を示す別の説明図である。
【図１２】本発明の実施の形態における別例のフック付き可搬式電動工具の斜視図である。
【図１３】同上のフック付き可搬式電動工具の吊り下げ時を示す説明図である。
【符号の説明】
１  可搬式電動工具本体
８  ハウジング
９  フック保持部
１０  貫通孔
１１  溝部
１２  球状凹部
１９  固定対象物
２０  フック
２１  フック本体
２２  フック軸部
２３  球状抜け止め部
２４  ねじ部
２５  ねじ部
３１  係合部
３２  係合部
３３  回転規制用凸部
４１  第二溝部
４２  第二フック
Ｃ  中心軸
Ｇ  重心
Ｓ  線分
Ｗ１  溝部の開口幅
Ｗ２  フック軸部の幅
【図１】
2004351538.tif 000003
【図２】
2004351538.tif 000004
【図３】
2004351538.tif 000005
【図４】
2004351538.tif 000006
【図５】
2004351538.tif 000007
【図６】
2004351538.tif 000008
【図７】
2004351538.tif 000009
【図８】
2004351538.tif 000010
【図９】
2004351538.tif 000011
【図１０】
2004351538.tif 000012
【図１１】
2004351538.tif 000013
【図１２】
2004351538.tif 000014
【図１３】
2004351538.tif 000015